【誤訳訂正書】
【提出日】令和3年11月25日(2021.11.25)
【誤訳訂正１】
【訂正対象書類名】明細書
【訂正対象項目名】全文
【訂正方法】変更
【訂正の内容】
【発明の詳細な説明】
【発明の名称】新規な物理ダウンリンク制御チャネルの設計
【関連出願の相互参照】
【０００１】
本願は、２０１９年１月１０日に出願され、その全体が本明細書に引用により援用される米国特許仮出願第６２／７９０８２５号（発明の名称「新無線アンライセンスドグループ共通物理ダウンリンク制御チャネルの設計（NEW RADIO UNLICENSED GROUP-COMMON PHYSICAL DOWNLINK CONTROL CHANNEL DESIGN）」）の利益を主張する。
【技術分野】
【０００２】
特定の実施形態は、無線通信システムに関し得る。例えば、一部の実施形態は、改良されたスロットフォーマット標示に関し得る。
【背景】
【０００３】
スロットフォーマットの使用により、効率的な新無線アンライセンスド（New Radio Unlicensed：ＮＲ−Ｕ）動作が実現され得る。例えば、ＮＲリリース１５（Ｒｅｌ−１５）ライセンスドバンド動作において、スロットフォーマットは、グループ共通物理ダウンリンク制御チャネル（Group-Common Physical Downlink Control CHannel：ＧＣ−ＰＤＣＣＨ）制御シグナリングに含まれ得る少なくとも１つのスロットフォーマット標示（Slot Format Indication：ＳＦＩ）で、例えばダウンリンク制御情報（Downlink Control Information：ＤＣＩ）フォーマット２＿０に基づいて示される場合がある。
【０００４】
第３世代パートナーシッププロジェクト（3rd Generation Partnership Project：３ＧＰＰ）技術仕様書（Technical Specification：ＴＳ）３８．２１３、Ｖ１５．３．０、第１１項によると、ＤＣＩフォーマット２＿０は、１つ以上のサービングセルに対して、少なくとも１つのＳＦＩを示し得る。ＤＣＩフォーマット２＿０における各ＳＦＩインデックスは、単一スロットフォーマットの、上位層の事前に構成された組合せを示し得る。例えば、３ＧＰＰ  ＴＳ  ３８．３３１、Ｖ１５．３．０では、対応するＡＳＮ．１構成構造が、図１に示すフォーマットと同様であり得る。３ＧＰＰでは、ネットワークエンティティはセルごとに、最大５１２の組合せを構成し得る。各組合せは、最大２５６スロットのスロットフォーマットを示す。
【０００５】
さらに、単一スロットのスロットフォーマットは、図２に示すような、８ビットエントリとして構成されてもよい。図２において、「Ｄ」はダウンリンクシンボル、「Ｕ」はアップリンクシンボル、「Ｆ」はフレキシブルシンボルを示す。このフレキシブルシンボルは、ネットワークエンティティスケジューラの判断に応じて、送信および受信がないこと、少なくとも１つのダウンリンク／アップリンク切替え間隔、シンボルを確保しておくかを示すことができ、さらに／あるいはダウンリンクとアップリンクとの間の動的トラフィック調整をしやすくすることができる。
【摘要】
【０００６】
概して、本開示の例示的実施形態は、ダウンリンク制御信号の送信／受信に関するソリューションを提供する。一部の実施形態では、ダウンリンク制御信号が、スロットフォーマットおよび／またはチャネル占有時間（Channel Occupancy Time：ＣＯＴ）構造の改良された標示を担う。
【０００７】
第１の態様では、方法が提供される。当該方法は、例えば、ネットワークエンティティによって実施されてもよい。この方法は、端末デバイスに対して少なくとも１つのダウンリンク制御信号を送信することを含む。前記ダウンリンク制御信号は、現在のスロットフォーマットインジケータと、別のインジケータと、を含む。前記現在のスロットフォーマットインジケータは、スロットフォーマットの組合せを示す。前記別のインジケータは、前記スロットフォーマットの組合せの開始位置を示すオフセット、前記現在のスロットフォーマットインジケータが有効であるスロットを示す適用性標示、次のスロットフォーマットインジケータ、チャネル占有時間が終了する場所を示す終了標示の内の１つ以上を含む。
【０００８】
本開示の第２の態様では、別の方法が提案される。当該方法は、端末デバイスによって実施されてもよく、ネットワークエンティティから少なくとも１つのダウンリンク制御信号を受信することを含む。前記ダウンリンク制御信号は、現在のスロットフォーマットインジケータと、別のインジケータと、を含む。前記現在のスロットフォーマットインジケータは、スロットフォーマットの組合せを示す。前記別のインジケータは、前記スロットフォーマットの組合せの開始位置を示すオフセット、前記現在のスロットフォーマットインジケータが有効であるスロットを示す適用性標示、次のスロットフォーマットインジケータ、チャネル占有時間が終了する場所を示す終了標示の内の１つ以上を含む。この方法は、前記現在のスロットフォーマットインジケータと前記別のインジケータとに基づいて、最初の有効なスロット、または前記現在のスロットフォーマットインジケータが適用されるように構成されている最初のスロットと、少なくとも１つの最後の有効なスロットフォーマットとを決定することをさらに含んでもよい。
【０００９】
本開示の第３の態様では、装置が提供される。当該装置は、少なくとも１つのプロセッサと、コンピュータプログラムコードを含む少なくとも１つのメモリと、を備えてもよい。前記コンピュータプログラムコードは、前記少なくとも１つのプロセッサに実行されると、前記装置に、少なくとも第１の態様の方法、またはその変形を遂行させるように構成されている。
【００１０】
本開示の第４の態様は、別の装置を提供する。当該装置は、少なくとも１つのプロセッサと、コンピュータプログラムコードを含む少なくとも１つのメモリと、を備えてもよい。前記コンピュータプログラムコードは、前記少なくとも１つのプロセッサに実行されると、前記装置に、少なくとも第２の態様の方法、またはその変形を遂行させるように構成されている。
【００１１】
本開示の第５の態様は、第１の態様の方法、またはその変形を実施する手段を備える装置を提供する。
【００１２】
本開示の第６の態様は、第２の態様の方法、またはその変形を実施する手段を備える装置を提供する。
【００１３】
本開示の第７の態様または第８の態様によると、コンピュータプログラム製品は、装置によって実行されると、当該装置に、第１の態様の方法、第２の態様の方法、またはそれらの変形を含むプロセスを遂行させる命令を符号化してもよい。
【００１４】
第９の態様または第１０の態様によると、非一時的コンピュータ可読媒体は、装置によって実行されると、当該装置に、第１の態様の方法、第２の態様の方法、またはそれらの変形を含むプロセスを遂行させる命令を符号化してもよい。
【００１５】
第１１または第１２の態様によると、コンピュータプログラムコードは、装置によって実行されると、当該装置に、第１の態様の方法、第２の態様の方法、またはそれらの変形を含むプロセスを遂行させる命令を含んでもよい。
【００１６】
第１３の態様および第１４の態様によると、装置は、当該装置に、第１の態様の方法、第２の態様の方法、またはそれらの変形を含むプロセスを遂行させるように構成されている回路を含んでもよい。
【図面の簡単な説明】
【００１７】
本開示を正しく理解するために、下記の添付の図を参照されたい。
【図１】ＡＳＮ．１構成構造の例を示す。
【図２】通常サイクルプレフィクスのスロットフォーマットの例を示す。
【図３】拡張ライセンス支援アクセスのチャネル占有時間構造標示の例を示す。
【図４】同じＤＬ／ＵＬパターンの複数の短縮バージョンが必要な場合の例を示す。
【図５】示されたスロットフォーマットインジケータの例を示す。
【図６】特定の実施形態に係る主要態様の例を示す。
【図７】特定の実施形態の別の例を示す。
【図８】特定の実施形態に係る信号フローチャートの例を示す。
【図９】ユーザ機器によって実施される、一部の実施形態に係る方法の例を示す。
【図１０】ネットワークエンティティによって実施される、一部の実施形態に係る方法の例を示す。
【図１１】ユーザ機器によって実施される、一部の実施形態に係る方法の例を示す。
【図１２】特定の実施形態に係るシステムの例を示す。
【詳細説明】
【００１８】
本開示に使用される用語の一部を以下に示す。
３ＧＰＰ  （3rd Generation Partnership Project）第３世代パートナーシッププロジェクト
４Ｇ    （4th Generation Mobile Network）第４世代モバイルネットワーク
５Ｇ    （5th Generation Mobile Network）第５世代モバイルネットワーク
ＢＷ    （Bandwidth）帯域
ＢＷＰ  （Bandwidth part）帯域部
ＣＧ    （Configured Grant）構成されたグラント
ＣＯＴ  （Channel Occupancy Time）チャネル占有時間
ＤＣＩ  （Downlink Control Information）ダウンリンク制御情報
ＤＬ    （Downlink）ダウンリンク
ＬＡＡ  （Licensed Assisted Access）ライセンス支援アクセス
ｅＬＡＡ  （Enhanced Licensed Assisted Access）拡張ライセンス支援アクセス
ＬＴＥ  （Long Term Evolution）ロングタームエボリューション
ｅＮＢ  ＬＴＥ基地局
ＧＣ−ＰＤＣＣＨ  （Group-Common Physical Downlink Control Channel）グループ共通物理ダウンリンク制御チャネル
ｇＮＢ  新無線基地局
ＨＡＲＱ  （Hybrid Automatic Repeat Request）ハイブリッド自動再送要求
ＩＥ    （Information Element）情報要素
ＬＢＴ  （Listen-Before-Talk）リッスンビフォアトーク方式
ＭＣＳ  （Modulation and Coding Scheme）変調符号化方式
ＮＤＩ  （New Data Indicator）新データインジケータ
ＮＥ    （Network Entity）ネットワークエンティティ
ＮＲ−Ｕ  （New Radio Unlicensed）新無線アンライセンスド
ＰＤＣＣＨ  （Physical Downlink Control Channel）物理ダウンリンク制御チャネル
ＰＤＳＣＨ  （Physical Downlink Shared Channel）物理ダウンリンク共有チャネル
ＰＲＢ  （Physical Resource Block）物理リソースブロック
ＰＵＳＣＨ  （Physical Uplink Shared Channel）物理アップリンク共有チャネル
ＲＩＶ  （Resource Indication Value）リソース指示値
ＳＦＩ  （Slot Format Indicator）スロットフォーマットインジケータ
ＵＥ    （User Equipment）ユーザ機器
ＵＬ    （Uplink）アップリンク
【００１９】
ＬＴＥリリース１４では、ｅＬＡＡ（Enhanced Licensed Assisted Access）が、共通ＰＤＣＣＨに関連した制御シグナリングを示す。例えば、図３に示すように、２つのフィールドが、ＬＡＡのサブフレーム構成を含むダウンリンク構造と、ＬＡＡのアップリンク構成を含むアップリンクサブフレーム構造とを示す。ＬＡＡのサブフレーム構成は、ＬＴＥの「現在および次のＤＬサブフレームフォーマット」の４ビットの組合せを、完全なダウンリンクサブフレームまたはダウンリンクパイロットタイムスロット（ＤｗＰＴＳ）を有するサブフレームのいずれかとして示す。同様に、ＬＡＡのＵＬ構成は、現在のサブフレームから数えたＵＬ部の開始位置から、ＵＬ部の長さのオフセットの５ビットの組合せをサブフレーム単位で示してもよい。
【００２０】
ＮＲリリース１５では、ＤＣＩフォーマットにより定期的に構成された信号がキャンセルされ得る、フレキシブルＴＤＤを可能とするように、ＤＣＩフォーマット２＿０が設計されている。さらに、示されたスロットフォーマットは、現在および後続のスロットに関連付けられてもよく、定期的に監視可能である。しかし、ＤＣＩフォーマット２＿０は、限定が課される所定の制限があらゆる送信にかかるＮＲ−Ｕ用途に最適化されていない。制限の例としては、連続送信スロット数が挙げられる。さらに、ＤＣＩフォーマット２＿０なしで、ＮＲライセンスドバンド状況下での動作を実行することもできる。しかし、ＮＲ−Ｕに対して、ＤＣＩフォーマット２＿０は、強制的でない場合も動作の初期設定モードである。
【００２１】
ＮＲ−Ｕでは、ＤＣＩフォーマット２＿０は、ＣＯＴの最初において頻繁に監視され得る。ｇＮＢ等のネットワークエンティティが全スロットでＮＲリリース１５  ＧＣ−ＰＤＣＣＨを送信する場合、ネットワークエンティティは、同じＤＬ／ＵＬ構造またはスロットの組合せを無用に複数バージョン構成する場合がある。図４に示す例では、スロットフォーマットインジケータ＃０から＃４が、連続するスロットのフォーマット１、１、１、８、１０、１０のスロット組合せの異なるバージョンを示すように構成される。同様に、図４に示すスロットフォーマットインジケータ＃５から＃９が、連続するスロットのフォーマット１、１、１、８、１０のスロット組合せの異なるバージョンを示すように構成される。したがって、図５に示すように、ユーザ機器は短縮なしで異なるスロットにおける後続のＳＦＩにより示される。
【００２２】
従来技術のさらなる欠点として、送信バーストの潜在的ＤＬ／ＵＬ構造組またはスロットフォーマットの組合せは限定され得るが、チャネルアクセスの競合により、送信バーストのタイミングが変わり得ることが挙げられる。ＮＲ  ＳＦＩにより、絶対タイミングのような、ＮＲ  ＳＦＩが受信されたセルのスロットタイミング（スロット番号）に対するスロットフォーマットの組合せが提供される。あるいは、ＮＲ−Ｕにおいて、ネットワークエンティティはスロットの途中等任意のスロットで、そのダウンリンクバーストを開始し得る。これにより、時間が経つとスロットフォーマットのタイミングのずれが生じる。したがって、送信バーストの可変タイミングに対応するため、ネットワークエンティティは、同じスロットフォーマットの組合せの異なるバージョンを複数設定することで、異なる複数の送信バースト開始時間に対応する必要がある。この場合、ＳＦＩ構成数が膨大となり有限であるネットワーク資源が浪費され、過剰な構成オーバーヘッドが必要となる。
【００２３】
ＮＲ−Ｕにおいて、ＤＬ／ＵＬ分割の異なる比率にネットワークエンティティが対応し得る。さらに、双方向スロットの異なる複数のバージョンを示しながら、この分割を臨機応変にも変化させ得る。あるいは、チャネル占有時間（ＣＯＴ）または送信機会（ＴｘＯＰ）のダウンリンクおよび／またはアップリンク部分が短縮され得る。一例として、ＮＲ−Ｕセルは多くの場合、関連付けられたセルのサイズが小さいことにより、送信バーストにおいて、少数のアクティブなユーザ機器にのみサービスを提供してもよい。送信バーストまたはＣＯＴ時に、ユーザ機器処理時間が短く、ＵＬ／ＤＬ切替点が多数であるため、ネットワークエンティティはＨＡＲＱフィードバックを取得し、送信バーストまたはＣＯＴ時にさらなるＨＲＱ再送が必要であるか判定してもよい。これにより、進行中の送信バーストの期間等、好ましいスロットフォーマットの組合せが影響を受け得る。
【００２４】
本明細書に記載の特定の実施形態は、構成オーバーヘッドの大幅な増加と、従来のＲ−１５ＤＣＩフォーマット２＿０に関連した複雑さの防止に寄与し得る。したがって、特定の実施形態はコンピュータ関連技術の改良に関する。特に、ネットワーク内に配置されたネットワークエンティティおよび／またはユーザ機器の省資源および省電力消費に関する。さらに、特定の実施形態は、ＮＲＵ  ＣＯＴ構造要件を満たしながら、準静的ＲＲＣおよび動的オーバーヘッドを低く保ち得る。例えば、ネットワークエンティティが構造を複数回示したい場合があり得る。これは、一部のユーザ機器が、干渉により送信バースト開始を認識していない、ＮＲ−Ｕ  ＣＯＴ開始時間が経時変化し得る、送信するデータがないまたはデータ送信が不要である場合にネットワークエンティティがＣＯＴを短縮または延長する、さらに／あるいはネットワークエンティティが複数の切替点を示し得るためである。
【００２５】
本明細書に記載の特定の実施形態は、ＣＯＴ構造の効率的標示を提供するため、ＤＣＩフォーマット２＿０に１つ以上の追加フィールドを導入し得る。例えば、「現在のＳＦＩ」フィールドは、現在のスロットおよび／または後続のスロット内のスロット構造を示し得る。さらに、「オフセット」インジケータは、ＤＣＩフォーマット２＿０が受信されたスロット（これには現在のスロットが含まれる）に関連する、「ＳＦＩスタート」のオフセットを示しうる。ここで「ＳＦＩスタート」とは、現在のＳＦＩが最初に有効化されたスロット、または現在のＳＦＩの適用が見込まれていた最初のスロットのようなスロットである。これにより、事前に構成されたＳＦＩの組合せの、ずれたバージョンのシグナリングを実現する。「適用性」標示は、現在のＳＦＩが有効であるスロットの数を示す。これは、例えば、ＧＤ−ＰＤＣＣＨが受信されたスロットまたは現在のＳＦＩの開始から計測され得る。これらは図６に示されている。ネットワークエンティティが送信するデータがない場合、ＣＯＴのダウンリンクおよび／またはアップリンク部分を柔軟に短縮することが、適切なオフセット／シフトおよび適用性／短縮により可能となってもよい。さらに、事前に構成されたＳＦＩの柔軟な連結により、ＣＯＴ内に複数のＤＬ／ＵＬ切替点が使用される場合に、異なる複数のＵＬ／ＤＬパターンが実現され得る。
【００２６】
一部の実施形態では、ＣＯＴは欧州電気通信標準化機構（European Telecommunications Standards Institute：ＥＴＳＩ）の欧州標準、電気通信シリーズ（ＥＮ）３０１  ８９３、Ｖ２．１．１と同様であってもよい。この場合、ＣＯＴは、ネットワークエンティティ等の開始デバイスの１つ以上の送信と、ユーザ機器等の１つ以上の対応デバイスの０以上の送信から成る。特定の実施形態では、少なくとも１つのＣＯＴの期間が限定され得る。
【００２７】
任意で、「次のＳＦＩ」インジケータは、例えば複数切替点または連続ＣＯＴの場合に、少なくとも１つの次回のＤＬ／ＵＬサイクルのフレキシブルな標示を可能とし得る。「次のＳＦＩ」標示は、現在のＳＦＩ終了後に発生し得る。これは現在のＳＦＩの適用性に基づいて判断される。
【００２８】
さらに、任意の「ＣＯＴ終了」インジケータが、次のＳＦＩの１ビットおよび／または１シグナリング状態に関連付けられ、ネットワークエンティティがＣＯＴの終了点を判断したことを示し得る。これにより、ユーザ機器がＰＤＣＣＨ監視を停止し、省電力が実現し得る。指示に応じて、ユーザ機器は最後のスロット後のスロット（複数可）内で、Ｃ−ＲＮＴＩまたはその他のＲＮＴＩを監視しなくてもよい。これは「適用性」インジケータにより示される。
【００２９】
図７に示す例では、ネットワークエンティティは３つのＳＦＩの組合せを構成し得る。これをパターン１から３として示す。しかし、例えばＲＲＣを介して、任意の数のパターンが構成され得る。したがって、図７に示す３つのパターンは例示目的で示されているのみである。図７の例において、「現在のＳＦＩ」および「次のＳＦＩ」の各フィールドのサイズは、ＤＣＩフォーマット２＿０において２ビットであってもよい。ネットワークエンティティは、図４および図７に示す所望のパターンを実現するように構成され、さらに、図７の下側に示すインジケータ値を示し得る。これらの値の内、「ｐ２」はパターン２を示し、「ｐ３」はパターン３を示す。これらはＳＦＩスロットフォーマットの組合せに対応する。「適用性」インジケータは、示されたＳＦＩスロットの組合せの開始から示されてもよい。一例として、現在のＳＦＩおよび次のＳＦＩは２＋２ビットであり、オフセットおよび適用性インジケータは３＋３ビットとなり得る。したがって、ポーラ符号では、ＤＣＩフォーマット２＿０の最小ペイロードは１２ビットであり、２ビットがパディングされるか、その他のシグナリング用途に利用される。
【００３０】
図８は、特定の実施形態に係る信号フローチャートの例を示す。システムは、図１２に示すネットワークエンティティ１２１０等の少なくとも１つのネットワークエンティティ８３０、および図１２に示すユーザ機器１２２０等のユーザ機器８４０の１つ以上を備えてもよい。
【００３１】
ステップ８０１では、ネットワークエンティティ８３０は、ＵＥ８４０に対して、少なくとも１つのＢＷＰに関する少なくとも１つのＳＦＩ構成を送信してもよい。最初のダウンリンク帯域部の構成は、ＭＩＢまたはＳＩＢにおいてブロードキャストされてもよい。一部の実施形態では、前記少なくとも１つのＳＦＩ構成は、ＤＣＩフォーマット２＿０に関連付けられた少なくとも１つのＲＮＴＩ、ＤＣＩフォーマット２＿０に関連付けられた少なくとも１つの監視タイミング、ＤＣＩフォーマット２＿０に関連付けられた少なくとも１つの探索空間パラメータ、例えば、少なくとも１つの事前に構成されたスロットフォーマットの組合せを含む１つ以上のサービングセルに対する少なくとも１つのＤＣＩフォーマット２＿０の内容の内の１つ以上を含んでもよい。ＤＣＩフォーマット２＿０の内容は、少なくとも１つの情報要素（Information Element：ＩＥ）と対応付けられていてもよい。
【００３２】
ステップ８０３では、ＵＥ８４０は、少なくとも１つのＧＣ−ＰＤＣＣＨに対して監視を行ってもよい。特定の実施形態では、この監視は、少なくとも１つの所定の周期によって、および／または少なくとも１つのダウンリンクバーストが検出された場合に限って、ネットワークエンティティ８３０のチャネル占有時間（ＣＯＴ）外で行われてもよい。これに加えて、またはこれに代えて、前記監視は、少なくとも１つのＣＯＴ構造に基づいて、ネットワークエンティティ８３０のＣＯＴの少なくとも１つの部分的スロットにおいて行われてもよい。これに加えて、またはこれに代えて、前記監視は、少なくとも１つの構成に基づいて、ネットワークエンティティ８３０のＣＯＴの少なくとも１つの完全なスロットにおいて行われてもよい。
【００３３】
ステップ８０５では、ＵＥ８４０は、ネットワークエンティティ８３０から、少なくとも１つのＤＣＩフォーマットを受信してもよい。このＤＣＩフォーマットは例えば、スロットｎについて、少なくとも１つのスロットフォーマットの組合せを示す現在のＳＦＩｓｃ、少なくとも１つのオフセットｏ（ｎに関連付けられていてもよい）、少なくとも１つの適用性α、少なくとも１つの次のＳＦＩｓｎ、ＣＯＴ終了の少なくとも１つの標示の内の１つ以上を有する、ＤＣＩフォーマット２＿０である。一部の実施形態では、受信された少なくとも１つのＤＣＩフォーマットは、１）ビットマップに基づく、またはリッスンビフォアトーク方式（Listen Before Talk：ＬＢＴ）の手順に従ってＢＷＰのサブバンドのいずれが前記ネットワークエンティティによって使用されるかを示し得るリソース標示値（Resource Indication Value：ＲＩＶ）に基づく、周波数領域態様（例えば、２０ＭＨｚ帯域のアクティブなサブバンド）、２）示されている、または予定されているＵＬリソースについて送信用チャネルにアクセスする際にユーザ機器が使用すべきチャネルアクセスの種類を示すチャネルアクセス関連情報、および／または３）ＴｘＯＰ／ＣＯＴの少なくとも部分的スロットにおける追加のＰＤＣＣＨ監視タイミングを示す情報を含んでもよい。
【００３４】
ステップ８０７では、ＵＥ８４０は、少なくとも１つのオフセットｏを使用して、スロットｎに適用可能な現在のＳＦＩスロットの組合せにおける少なくとも１つの最初の有効なスロットフォーマットをｓｃ（ｏ）として決定してもよい。一部の実施形態では、少なくとも１つのオフセットｏは、スロットｎから現在のＳＦＩの最初までと示されてもよい。一例として、少なくとも１つのオフセットｏが負の値である場合、示されているＳＦＩは次回のスロットからのみ有効である。これに加えて、またはこれに代えて、少なくとも１つのオフセットｏは、ＳＦＩスロットの組合せの最初からスロットｎまでと示されてもよい。一例として、少なくとも１つのオフセットｏが正の値である場合、少なくとも１つの示されているＳＦＩスロット構成は次回のスロットからのみ有効であってもよい。
【００３５】
ステップ８０９では、ＵＥ８４０は、少なくとも１つの現在のＳＦＩスロットの組合せにおける少なくとも１つの最後の有効なスロットフォーマットを決定してもよい。一部の実施形態では、この決定は、前記少なくとも１つの適用性αに基づいていてもよい。特定の実施形態では、前記少なくとも１つの適用性αは、少なくとも１つのスロットｎから示されてもよい。各種実施形態において、前記少なくとも１つの適用性αは、図７に示すような、現在のＳＦＩスロットの組合せの最初のスロットを示してもよい。一部の実施形態では、少なくとも１つの適用性αは、現在のＳＦＩの少なくとも１つの最後のスロットからの補足として示されてもよい。
【００３６】
ステップ８１１では、ＵＥ８４０は、現在のＳＦＩに対応する最初のスロットおよび最後のスロットを除く残りのスロットについての少なくとも１つのスロットフォーマットを決定してもよい。
【００３７】
ステップ８１３では、ＵＥ８４０は、少なくとも１つの最終のスロットフォーマット組合せを決定してもよい。この決定は、ｓｎ（次のＳＦＩ）が示されている場合は、当該ｓｎと、シフトされ短縮されたスロットフォーマットの組合せｓｃ（現在のＳＦＩ）とを組み合わせることにより行われる。一部の実施形態では、ＵＥ８４０は、当該スロットについて以前に示されていた少なくとも１つのスロットフォーマットに関係なく、図６のスロット６０１のような、少なくとも１つの示されたスロットにおける少なくとも１つのスロットフォーマットをオーバーライドしてもよい。
【００３８】
ステップ８１５では、ＵＥ８４０は、少なくとも１つのダウンリンクバーストの検出を行ってもよく、さらに／あるいはステップ８０９で決定された（ＣＯＴ終了が示されているか等）最後のスロットより後の少なくとも１つのスロットにおいてＣ−ＲＮＴＩに関連付けられている少なくとも１つのＤＣＩフォーマットの監視を中断してもよい。一部の実施形態では、ＣＯＴ終了標示は、少なくとも１つの次のＳＦＩの少なくとも１つの予約状態に対応してもよい。
【００３９】
図９は、図１２のＵＥ１２２０等のＵＥによって実施される、一部の実施形態に係る方法の例を示す。ブロック９０１では、ユーザ機器は、少なくとも１つのＢＷＰに関する少なくとも１つのＳＦＩ構成を受信してもよい。一部の実施形態では、前記少なくとも１つのＳＦＩ構成は、ＤＣＩフォーマット２＿０に関連付けられた少なくとも１つのＲＮＴＩ、ＤＣＩフォーマット２＿０に関連付けられた少なくとも１つの監視タイミング、ＤＣＩフォーマット２＿０に関連付けられた少なくとも１つの探索空間パラメータ、例えば、少なくとも１つの事前に構成されたスロットフォーマットの組合せを含む１つ以上のサービングセルに対する少なくとも１つのＤＣＩフォーマット２＿０の内容の内の１つ以上を含んでもよい。ＤＣＩフォーマット２＿０の内容は、少なくとも１つのＩＥに対応付けられていてもよい。
【００４０】
ブロック９０３では、前記ユーザ機器は、少なくとも１つのＧＣ−ＰＤＣＣＨについて監視を行ってもよい。特定の実施形態では、この監視は、少なくとも１つの所定の周期によって、および／または少なくとも１つのダウンリンクバーストが検出された場合に限って、図１２のネットワークエンティティ１２１０等の少なくとも１つのネットワークエンティティのチャネル占有時間（ＣＯＴ）外で行われてもよい。これに加えて、またはこれに代えて、前記監視は、少なくとも１つのＣＯＴ構造に基づいて、ネットワークエンティティのＣＯＴの少なくとも１つの部分的スロットにおいて行われてもよい。これに加えて、またはこれに代えて、前記監視は、少なくとも１つの構成に基づいて、ネットワークエンティティのＣＯＴの少なくとも１つの完全なスロットにおいて行われてもよい。
【００４１】
ブロック９０５では、前記ユーザ機器は、少なくとも１つのＤＣＩフォーマットを受信してもよい。このＤＣＩフォーマットは例えば、スロットｎについて、少なくとも１つのスロットフォーマットの組合せを示す現在のＳＦＩｓｃ、少なくとも１つのオフセットｏ（ｎに関連付けられていてもよい）、少なくとも１つの適用性α、少なくとも１つの次のＳＦＩｓｎ、ＣＯＴ終了の少なくとも１つの標示の内の１つ以上を有する、ＤＣＩフォーマット２＿０である。
【００４２】
ブロック９０７では、前記ユーザ機器は、少なくとも１つのオフセットｏを使用して、スロットｎに適用可能な現在のＳＦＩスロットの組合せにおける少なくとも１つの最初の有効なスロットフォーマットをｓｃ（ｏ）として決定してもよい。一部の実施形態では、少なくとも１つのオフセットｏは、スロットｎから現在のＳＦＩの最初までと示されてもよく、さらに／あるいはオフセットｏは、現在のＳＦＩが適用される、または最初に適用されたスロットを示してもよい。一例として、少なくとも１つのオフセットｏが負の値である場合、示されているＳＦＩは次回のスロットからのみ有効である。これに加えて、またはこれに代えて、少なくとも１つのオフセットｏは、ＳＦＩスロットの組合せの最初からスロットｎまでと示されてもよい。一例として、少なくとも１つのオフセットｏが正の値である場合、少なくとも１つの示されているＳＦＩスロット構成は次回のスロットからのみ有効であってもよい。
【００４３】
ブロック９０９では、前記ユーザ機器は、前記少なくとも１つの現在のＳＦＩスロットの組合せにおける少なくとも１つの最後の有効なスロットフォーマットを決定してもよい。一部の実施形態では、この決定は、前記少なくとも１つの適用性αに基づいていてもよい。特定の実施形態では、前記少なくとも１つの適用性αは、少なくとも１つのスロットｎから示されてもよい。各種実施形態において、前記少なくとも１つの適用性αは、図７に示すような、現在のＳＦＩスロットの組合せの最初のスロットを示してもよい。一部の実施形態では、前記少なくとも１つの適用性αは、現在のＳＦＩの少なくとも１つの最後のスロットからの補足として示されてもよい。
【００４４】
一部の実施形態では、前記ユーザ機器は、少なくとも１つの最初の有効なスロット、または現在のＳＦＩの適用が見込まれていた最初のスロット、および／または少なくとも１つのオフセットｏおよび／または少なくとも１つの適用性αの組合せにより一緒に、現在のＳＦＩにおける少なくとも１つの最後の有効なスロットを受信してもよい。
【００４５】
ブロック９１１では、前記ユーザ機器は、現在のＳＦＩに対応する最初のスロットおよび最後のスロットを除く残りのスロットについての少なくとも１つのスロットフォーマットを決定してもよい。
【００４６】
ブロック９１３では、前記ユーザ機器は、少なくとも１つの最終のスロットフォーマット組合せを決定してもよい。この決定は、ｓｎ（次のＳＦＩ）が示されている場合は、当該ｓｎと、シフトされ短縮されたスロットフォーマットの組合せｓｃ（現在のＳＦＩ）とを組み合わせることにより行われる。一部の実施形態では、ユーザ機器は、当該スロットについて以前に示されていた少なくとも１つのスロットフォーマットに関係なく、少なくとも１つの示されたスロットにおける少なくとも１つのスロットフォーマットをオーバーライドしてもよい。
【００４７】
ブロック９１５では、前記ユーザ機器は、少なくとも１つのダウンリンクバーストの検出を行ってもよく、さらに／あるいは適用性によって示された（ＣＯＴ終了が示されているか等）最後のスロットより後の少なくとも１つのスロットにおいてＣ−ＲＮＴＩに関連付けられている少なくとも１つのＤＣＩフォーマットの監視を中断してもよい。特定の実施形態では、ＣＯＴ終了標示は、少なくとも１つの次のＳＦＩの少なくとも１つの予約状態に対応してもよい。
【００４８】
図１０は、図１２のＮＥ１２１０等のネットワークエンティティによって実施される、一部の実施形態に係る方法の例を示す。ブロック１００１では、ネットワークエンティティは、少なくとも１つのＢＷＰについての少なくとも１つのＳＦＩ構成を送信してもよい。一部の実施形態では、前記少なくとも１つのＳＦＩ構成は、ＤＣＩフォーマット２＿０に関連付けられた少なくとも１つのＲＮＴＩ、ＤＣＩフォーマット２＿０に関連付けられた少なくとも１つの監視タイミング、ＤＣＩフォーマット２＿０に関連付けられた少なくとも１つの探索空間パラメータ、例えば、少なくとも１つの事前に構成されたスロットフォーマットの組合せを含む、１つ以上のサービングセルに対する少なくとも１つのＤＣＩフォーマット２＿０の内容の内の１つ以上を含んでもよい。前記ＤＣＩフォーマット２＿０の内容は、少なくとも１つのＩＥに関連付けられていてもよい。
【００４９】
ステップ１００３では、前記ネットワークエンティティは、少なくとも１つのＤＣＩフォーマットを送信してもよい。このＤＣＩフォーマットは例えば、スロットｎについて、少なくとも１つのスロットフォーマットの組合せの少なくとも１つを示す現在のＳＦＩｓｃ、ｎに関連付けられうる少なくとも１つのオフセットｏ、少なくとも１つの適用性α、少なくとも１つの次のＳＦＩｓｎ、ＣＯＴ終了の少なくとも１つの標示の内の１つ以上を有する、ＤＣＩフォーマット２＿０である。一部の実施形態では、送信された少なくとも１つのＤＣＩフォーマットは、１）ビットマップに基づく、またはリッスンビフォアトーク方式（ＬＢＴ）の手順に従ってＢＷＰのサブバンドのいずれが前記ネットワークエンティティによって使用されるかを示し得るリソース標示値（ＲＩＶ）に基づく、周波数領域態様（例えば、２０ＭＨｚ帯域のアクティブなサブバンド）、２）示されている、または予定されているＵＬリソースについて送信用チャネルにアクセスする際にユーザ機器が使用すべきチャネルアクセスの種類を示すチャネルアクセス関連情報、および／または３）ＴｘＯＰ／ＣＯＴの少なくとも部分的スロットにおける追加のＰＤＣＣＨ監視タイミングを示す情報を含んでもよい。
【００５０】
提案されたＤＣＩフォーマットに従ってスロットフォーマットの組合せを決定する例を以下に示す。この例では、ＤＣＩの「オフセット」フィールドは、スロットフォーマットシーケンス内で、ＤＣＩが受信されるスロットから適用されるオフセットを示す。例えば、スロットフォーマットは、図２に定義されるようなものであってもよい。ＳＦＩ＃１が１／１／１／８／１０／１０のスロットフォーマットシーケンスを示すように事前に定義／構成され、１／１／１／８／１０／１／８／１０／１０のスロットフォーマットシーケンスがＵＥに示される場合、ネットワークエンティティは、スロット０からスロット８の各スロットについて、以下のような異なるオフセット値および適用性値と共に、ＳＦＩ＃１を提示することができる。
スロット０：ＳＦＩ＃１、オフセット０、適用性５→１
スロット１：ＳＦＩ＃１、オフセット１、適用性５→１
スロット２：ＳＦＩ＃１、オフセット２、適用性５→１
スロット３：ＳＦＩ＃１、オフセット３、適用性５→８
スロット４：ＳＦＩ＃１、オフセット４、適用性５→１０
スロット５：ＳＦＩ＃１、オフセット２、適用性６→１
スロット６：ＳＦＩ＃１、オフセット３、適用性６→８
スロット７：ＳＦＩ＃１、オフセット４、適用性６→１０
スロット８：ＳＦＩ＃１、オフセット５、適用性６→１０
【００５１】
この例では、現在のＳＦＩ＃１が適用されるように構成されているスロットから示されている適用性５は、当該シーケンス内の最後のスロットフォーマット１０の飛ばしを発生させる。これにより、現在のＳＦＩ＃１内の最後の有効なスロットがさらに示される。スロット５内のオフセット２は、現在のＳＦＩ＃１が適用されるように構成されているスロットを示し、シーケンス１／１／１／８／１０／１０内の最初の１／１の飛ばしが発生し、スロット５から始まる示されたスロットフォーマットは／１／８／１０となる。
【００５２】
図１１は、図１２のＵＥ１２２０等のＵＥによって実施される、一部の実施形態に係る方法の例を示す。ブロック１１０１では、ユーザ機器は、少なくとも１つのダウンリンク制御信号を受信してもよい。一部の実施形態では、ダウンリンク制御信号は、少なくとも１つのスロットフォーマットの組合せを示す少なくとも１つの現在のスロットフォーマットインジケータを含んでもよい。ダウンリンク制御信号は、少なくとも１つのオフセット、少なくとも１つの適用性標示、少なくとも１つの次のスロットフォーマットインジケータ、少なくとも１つのチャネル占有時間終了の少なくとも１つの標示の１つ以上を含み得る、少なくとも１つの追加のインジケータをさらに含んでもよい。前記少なくとも１つの追加のインジケータは、少なくとも１つのグループ共通物理ダウンリンク制御チャネルにおいて受信されてもよい。ブロック１１０３では、前記ユーザ機器は、前記現在のスロットフォーマットインジケータおよび前記少なくとも１つの追加のインジケータに基づいて、１）最初の有効なスロット、または前記現在のスロットフォーマットインジケータが適用されるように構成されている最初のスロットと、２）少なくとも１つの最後の有効なスロットフォーマットと、を決定してもよい。
【００５３】
図１２は、特定の実施形態に係るシステムの例を示す。一実施形態では、システムは、例えば、ネットワークエンティティ１２１０および／またはユーザ機器１２２０等の複数のデバイスを備えてもよい。
【００５４】
ネットワークエンティティ１２１０は、発展型ノードＢ（evolved node B：ｅＮＢ）または５Ｇすなわち新無線ノードＢ（New Radio node B：ｇＮＢ）等の基地局、サービングゲートウェイ、サーバ、および／または任意の他のアクセスノード、またはこれらの組合せの内の１つ以上であってもよい。
【００５５】
ユーザ機器１２２０は、携帯電話、スマートフォン、携帯情報端末（Personal Digital Assistant：ＰＤＡ）、タブレット、またはポータブルメディアプレイヤ等のモバイルデバイス、デジタルカメラ、ポケットビデオカメラ、ビデオゲーム機、全地球測位システム（Global Positioning System：ＧＰＳ）デバイス等のナビゲーションユニット、デスクトップまたはノート型コンピュータ、センサまたはスマートメータ等の単一場所デバイス、またはこれらの任意の組合せの内の１つ以上を備えてもよい。ネットワークエンティティ１２１０は、ユーザ機器１２２０と同様であってもよい。さらに、ネットワークエンティティ１２１０および／またはユーザ機器１２２０は、市民ブロードバンド無線サービスデバイス（Citizens Broadband Radio Service Device：ＣＢＳＤ）の１つ以上であってもよい。
【００５６】
さらに、一部の実施形態では、ネットワークエンティティ１２１０および／またはＵＥ１２２０の機能が、無線リレーノード等の他のネットワークノードによって実装されてもよい。例えば、ＵＥ１２２０の機能が、ＩＡＢノードのモバイルターミネーション（Mobile Termination：ＭＴ）要素によって実施されてもよい。
【００５７】
これらのデバイスの１つ以上が、それぞれ１２１１、１２２１として示される少なくとも１つのプロセッサを備えてもよい。プロセッサ１２１１、１２２１は、中央処理装置（Central Processing Unit：ＣＰＵ）、特定用途向け集積回路（Application Specific Integrated Circuit：ＡＳＩＣ）、またはこれらと同等のデバイス等の任意の計算またはデータ処理デバイスによって実施されてもよい。プロセッサは、単一のコントローラとして実装されてもよいし、複数のコントローラまたはプロセッサとして実装されてもよい。
【００５８】
少なくとも１つのメモリは、１２１２、１２２２として示される１つ以上のデバイスに提供されていてもよい。メモリは、固定式でも、着脱式でもよい。メモリは、内部に格納されたコンピュータプログラム命令またはコンピュータコードを含んでもよい。メモリ１２１２、１２２２は、それぞれ独立して、非一時的コンピュータ可読媒体等の任意の記憶デバイスであってもよい。ハードディスクドライブ（ＨＤＤ）、ランダムアクセスメモリ（ＲＡＭ）、フラッシュメモリ、その他の好適なメモリが使用されてもよい。これらのメモリは、プロセッサとして１つの集積回路に組み合わされてもよいし、１つ以上のプロセッサとは別に設けられてもよい。さらに、メモリに保存され、プロセッサによって処理され得るコンピュータプログラム命令は、任意の好適なプログラミング言語で記載された、コンパイルまたは統合されたコンピュータプログラム等の、任意のコンピュータプログラムコードの形式をとってもよい。メモリは、着脱式でも、非着脱式でもよい。
【００５９】
プロセッサ１２１１、１２２１およびメモリ１２１２、１２２２、またはこれらのサブセットは、図１から１１の各ブロックに対応する手段を提供するように構成されてもよい。図示されていないが、デバイスはさらに、その位置を決定するために用いられる、ＧＰＳや微小電気機械システム（Micro Electrical Mechanical System：ＭＥＭＳ）ハードウェア等の測位ハードウェアを備えてもよい。さらに、他のセンサも設けられ、位置、高度、方位等を決定するために備えられてもよく、この例としては、気圧計、コンパス等が挙げられる。
【００６０】
図１２に示すとおり、送受信機１２１３、１２２３が設けられ、１つ以上のデバイスはさらに、それぞれ１２１４、１２２４として示される少なくとも１つのアンテナを備えてもよい。デバイスは、マルチ入力、マルチ出力（Multiple Input Multiple Output：ＭＩＭＯ）通信用に構成されたアンテナのアレイや、複数の無線アクセス技術用の複数のアンテナ等、多数のアンテナを有してもよい。例えば、これらのデバイスのその他の構成がさらに設けられてもよい。送受信機１２１３、１２２３は、送信機、受信機、送信機と受信機の両方、または送信用および受信用に構成され得るユニットやデバイスであってもよい。
【００６１】
メモリおよびコンピュータプログラム命令は、個別のデバイス用のプロセッサによって、ユーザ機器等のハードウェア装置に、以下に記載のプロセス（例えば、図１から図１１を参照）のいずれかを遂行させるように構成されていてもよい。したがって、特定の実施形態では、非一時的コンピュータ可読媒体が、ハードウェアにおいて実行されると、本明細書に記載のプロセスの１つ等のプロセスを実施するコンピュータ命令によって符号化されてもよい。あるいは、特定の実施形態は完全にハードウェア内で実施されてもよい。
【００６２】
特定の実施形態では、装置は、図１から図１１に示されたプロセスまたは機能のいずれかを実施するように構成された回路を備えてもよい。例えば、回路は、アナログおよび／またはデジタル回路等のハードウェアのみの回路実装であってもよい。別の例では、回路は、アナログおよび／またはデジタルハードウェア回路（複数可）とソフトウェアまたはファームウェアの組合せ、および／またはソフトウェア（デジタル信号プロセッサ（複数可）を含む）を備えるハードウェアプロセッサ（複数可）の任意の一部、ソフトウェアの任意の一部、装置に、各種プロセスまたは機能を遂行させるように協働する少なくとも１つのメモリの任意の一部等、ハードウェア回路とソフトウェアの組合せであってもよい。さらに別の例では、回路は、動作のためのファームウェア等のソフトウェアを含む、マイクロプロセッサ（複数可）またはマイクロプロセッサ（複数可）の一部等、ハードウェア回路（複数可）やプロセッサ（複数可）であってもよい。回路中のソフトウェアは、ハードウェアの動作に必要でないときは存在しなくてもよい。
【００６３】
本明細書全体にわたって記載された特定の実施形態の特性、構造、特徴は、任意の好適な形で１つ以上の実施形態において組み合わされていてもよい。例えば、本明細書全体にわたって、「特定の実施形態」、「一部の実施形態」、「他の実施形態」、または同様の表現の使用によって、その実施形態に関連して記載されている特定の特性、構造、特徴は、本開示の少なくとも１つの実施形態に含まれ得るという事実を示している。したがって、本明細書全体にわたって、「特定の実施形態では」、「一部の実施形態では」、「別の実施形態では」、または同様の表現があることによって、同一の実施形態のグループを指しているわけでは必ずしもなく、記載された特性、構造、特徴は、任意の好適な形で１つ以上の実施形態において組み合わされていてもよい。
【００６４】
当業者であれば、上述の特定の実施形態は、順序を入れ替えたステップで実施され得ること、さらに／あるいは開示されているものとは異なる構成内のハードウェア要素で実施され得ることを容易に理解するであろう。したがって、本開示の主旨および範囲から逸脱することなく、特定の変形例、変更例、代替の構造が明白であることは当業者にとっては自明であろう。したがって、本開示の範囲を定めるためには、添付の請求の範囲を参照されたい。
【００６５】
本開示の第１の態様によると、方法は、ネットワークエンティティによって、ユーザ機器に対して少なくとも１つのダウンリンク制御信号を送信することを含む。前記ダウンリンク制御信号は、少なくとも１つのスロットフォーマットの組合せを示す少なくとも１つの現在のスロットフォーマットインジケータを含む。前記ダウンリンク制御信号は、少なくとも１つのオフセット、少なくとも１つの適用性標示、少なくとも１つの次のスロットフォーマットインジケータ、および少なくとも１つのチャネル占有時間終了の少なくとも１つの標示の内の１つ以上をさらに含む。
【００６６】
一部の実施形態では、前記方法は、前記ネットワークエンティティによって、少なくとも１つのＳＦＩ構成を送信することをさらに含んでもよい。あるいは、一部の実施形態では、前記ＳＦＩ構成は、端末デバイスに非明示的に示されてもよく、または事前に定義されていてもよく、その結果、前記ＳＦＩ構成の送信を省略し得る。
【００６７】
一部の実施形態では、前記ダウンリンク制御信号は、フォーマット２＿０を含む。
【００６８】
一部の実施形態では、前記方法は、前記ネットワークエンティティによって、１）最初の有効なスロット、または現在のスロットフォーマットインジケータが適用されるように構成されている最初のスロットと、２）少なくとも１つの最後の有効なスロットフォーマットと、を一緒になって示す少なくとも１つの標示を、前記少なくとも１つのオフセットおよび／または前記少なくとも１つの適用性インジケータの組合せによって送信することをさらに含む。
【００６９】
一部の実施形態では、前記少なくとも１つのＳＦＩ構成は、ＤＣＩフォーマット２＿０に関連付けられた少なくとも１つのＲＮＴＩ、ＤＣＩフォーマット２＿０に関連付けられた少なくとも１つの監視タイミング、ＤＣＩフォーマット２＿０に関連付けられた少なくとも１つの探索空間パラメータ、例えば、少なくとも１つの事前に構成されたスロットフォーマットの組合せを含む１つ以上のサービングセルに対する少なくとも１つのＤＣＩフォーマット２＿０の内容の内の１つ以上を含んでもよい。
【００７０】
一部の実施形態では、次のスロットフォーマットインジケータ（ＳＦＩ）は、前記ネットワークエンティティによって取得された同一または異なるチャネル占有時間の、少なくとも１つの次回のダウンリンク／アップリンクサイクル部を示す。
【００７１】
本開示の第２の態様によると、方法は、ユーザ機器によって、少なくとも１つのダウンリンク制御信号を受信することを含む。前記ダウンリンク制御信号は、少なくとも１つのスロットフォーマットの組合せを示す少なくとも１つの現在のスロットフォーマットインジケータを含む。前記ダウンリンク制御信号は、少なくとも１つのオフセット、少なくとも１つの適用性標示、少なくとも１つの次のスロットフォーマットインジケータ、少なくとも１つのチャネル占有時間終了の少なくとも１つの標示の内の１つ以上を含み得る少なくとも１つの追加のインジケータをさらに含む。前記少なくとも１つの追加のインジケータは、少なくとも１つのグループ共通物理ダウンリンク制御チャネルにおいて受信される。この方法は、前記ユーザ機器によって、前記現在のスロットフォーマットインジケータおよび前記少なくとも１つの追加のインジケータに基づいて、１）最初の有効なスロット、または前記現在のスロットフォーマットインジケータが適用されるように構成されている最初のスロットと、２）少なくとも１つの最後の有効なスロットフォーマットと、を決定することをさらに含む。
【００７２】
一部の実施形態では、前記ダウンリンク制御信号は、フォーマット２＿０を含む。
【００７３】
一部の実施形態では、前記方法は、前記ユーザ機器によって、ダウンリンクバーストを検出し、さらに／あるいは少なくとも１つの標示によって示された最後のスロットより後のスロットにおいてＤＣＩフォーマットの監視を中断することをさらに含む。
【００７４】
一部の実施形態では、前記少なくとも１つの標示は、少なくとも１つの次のスロットフォーマットインジケータのチャネル占有時間終了および／または予約状態に関連付けられている。
【００７５】
一部の実施形態では、前記方法は、前記ユーザ機器によって、少なくとも１つのＳＦＩ構成を受信または取得することをさらに含む。
【００７６】
一部の実施形態では、前記方法は、前記ユーザ機器によって、少なくとも１つのＧＣ−ＰＤＣＣＨに対して、監視することをさらに含む。
【００７７】
一部の実施形態では、前記方法は、前記ユーザ機器によって、少なくとも１つの現在のＳＦＩの組合せにおいてスロットｎ内の少なくとも１つのＤＣＩフォーマット（２＿０）を受信することをさらに含む。
【００７８】
一部の実施形態では、前記方法は、前記ユーザ機器によって、現在のＳＦＩスロットの組合せにおいて残りのスロット（複数可）について少なくとも１つのスロットフォーマットを決定することをさらに含んでもよい。
【００７９】
一部の実施形態では、前記方法は、前記ユーザ機器によって、少なくとも１つのスロットフォーマット最終組合せを決定することをさらに含んでもよい。
【００８０】
一部の実施形態では、前記方法は、前記ＤＬ制御信号に含まれている次のＳＦＩに基づいて、現在のＳＦＩの最後の有効なスロットより後のスロットフォーマットを決定することをさらに含んでもよい。
【００８１】
一部の実施形態では、前記方法は、前記ユーザ機器によって、少なくとも１つの以前に示されたスロットにおける少なくとも１つのスロットフォーマットをオーバーライドすることをさらに含んでもよい。
【００８２】
一部の実施形態では、前記方法は、前記ユーザ機器によって、スロットフォーマット最終組合せに基づいて、ダウンリンクからアップリンクへの切替えを行うことをさらに含んでもよい。
【００８３】
本開示の第３の態様および第４の態様によると、装置は、少なくとも１つのプロセッサと、少なくとも１つのメモリおよびコンピュータプログラムコードと、を備え得る。前記コンピュータプログラムコードは、前記少なくとも１つのプロセッサに実行されると、前記装置に、少なくとも第１の態様の方法、第２の態様の方法、またはそれらの変形を遂行させるように構成され得る。
【００８４】
本開示の第５の態様および６の態様によると、装置は、第１の態様の方法、第２の態様の方法、またはその変形を実施する手段を備え得る。
【００８５】
本開示の第７の態様および第８の態様によると、コンピュータプログラム製品は、装置によって実行されると、当該装置に、第１の態様の方法、第２の態様の方法、またはそれらの変形を含むプロセスを遂行させる命令を符号化してもよい。
【００８６】
第９の態様および第１０の態様によると、非一時的コンピュータ可読媒体は、装置によって実行されると、当該装置に、第１の態様の方法、第２の態様の方法、またはそれらの変形を含むプロセスを遂行させる命令を符号化してもよい。
【００８７】
第１１および第１２の態様によると、コンピュータプログラムコードは、装置によって実行されると、当該装置に、第１の態様の方法、第２の態様の方法、またはそれらの変形を含むプロセスを遂行させる命令を含んでもよい。
【００８８】
第１３の態様および第１４の態様によると、装置は、当該装置に、第１の態様の方法、第２の態様の方法、またはそれらの変形を含むプロセスを遂行させるように構成されている回路を含んでもよい。
【誤訳訂正２】
【訂正対象書類名】図面
【訂正対象項目名】全図
【訂正方法】変更
【訂正の内容】
【図１】
2021516492.tif 000001
【図２】
2021516492.tif 000002
【図３】
2021516492.tif 000003
【図４】
2021516492.tif 000004
【図５】
2021516492.tif 000005
【図６】
2021516492.tif 000006
【図７】
2021516492.tif 000007
【図８】
2021516492.tif 000008
【図９】
2021516492.tif 000009
【図１０】
2021516492.tif 000010
【図１１】
2021516492.tif 000011
【図１２】
2021516492.tif 000012